(57)【要約】      （修正有）【課題】改善された装置、ドライバ及びデバイスを提供する。【解決手段】負荷２００を駆動するための装置１００は、第１の状態である平常時に入力信号を受け、前記入力信号を通じて供給される入力電力でもって負荷への給電及び供給源３００を充電するため負荷及び再充電可能供給源の直列配列に第１の出力信号を供給する。第２の状態である非常時に、コンバータスイッチ１１、インダクタ１２及びダイオード１３を有するコンバータは、供給源により供給される電力でもって負荷に給電するため供給源からの供給源信号を負荷のための第２の出力信号に変換する。コンバータスイッチの第１のモードにおいて、供給源信号を通じてインダクタを充電するためインダクタ及び供給源を結合する。コンバータスイッチの第２のモードにおいて、充電後のインダクタは、第２の出力信号を供給する。コンバータは、第１の出力信号の値を調整してもよい。【選択図】図１
2019134671.tif 000002
【特許請求の範囲】
【請求項１】
負荷を駆動するための装置であって、
第１の状態において、入力信号を受けるよう構成される入力部、
前記第１の状態において、第１の出力信号を前記負荷及び供給源の直列配列に供給するよう構成される出力部であって、該第１の出力信号は、前記入力信号を通じて供給される入力電力でもって前記負荷に給電する及び前記供給源を充電するよう構成される、出力部、及び
前記第１の状態と異なる第２の状態において、前記供給源からの供給源信号を前記負荷のための第２の出力信号に変換するよう構成されるコンバータであって、該第２の出力信号は、前記供給源により供給される供給源電力でもって前記負荷に給電するよう構成される、コンバータ、
を有する、装置。
【請求項２】
前記第１の状態は、前記入力信号が利用可能である平常時であり、前記第２の状態は、前記入力信号が利用できない非常時である、請求項１に記載の装置。
【請求項３】
前記コンバータは、コンバータスイッチ及びインダクタを有し、前記コンバータは、前記コンバータスイッチの第１のモードにおいて、前記供給源信号を通じて前記インダクタを充電するため前記インダクタ及び前記供給源を結合し、前記インダクタは、充電された後、前記コンバータスイッチの第２のモードにおいて、前記第２の出力信号を供給するよう構成される、請求項１に記載の装置。
【請求項４】
前記コンバータは、前記第１の出力信号の値を調整するよう構成される、請求項１に記載の装置。
【請求項５】
前記コンバータは、コンバータスイッチを有し、前記コンバータスイッチは、該コンバータスイッチの第１のモードにおいて、前記直列配列をバイパスするよう構成される、請求項４に記載の装置。
【請求項６】
当該装置は、負荷スイッチを有し、前記負荷スイッチは、該負荷スイッチの第１のモードにおいて、前記負荷を非アクティブにするよう構成される、請求項１に記載の装置。
【請求項７】
当該装置は、供給源スイッチを有し、前記供給源スイッチは、該供給源スイッチの第１のモードにおいて、前記供給源をバイパスするよう構成される、請求項１に記載の装置。
【請求項８】
当該装置は、コントローラを有し、前記コントローラは、前記コンバータのコンバータスイッチ、負荷スイッチ及び供給源スイッチのうちの１つ以上を制御するよう構成される、請求項１に記載の装置。
【請求項９】
前記入力部は、第１の入力端子及び第２の入力端子を有し、前記出力部は、前記負荷に結合されるよう構成される第１の出力端子及び第２の出力端子並びに前記供給源に結合されるよう構成される第３の出力端子及び第４の出力端子を有し、前記コンバータは、コンバータスイッチ、インダクタ及び第１のダイオードを有し、前記インダクタの第１の接点は、前記第１の入力端子に結合され、前記インダクタの第２の接点は、前記第１のダイオードの第１の接点及び前記コンバータスイッチの第１の接点に結合され、前記第１のダイオードの第２の接点は、前記第１の出力端子に結合され、前記コンバータスイッチの第２の接点は、前記第４の出力端子及び前記第２の入力端子に結合され、前記第３の出力端子は、第２のダイオードの第１の接点及び前記第２の出力端子に結合され、前記第２のダイオードの第２の接点は、前記第１の入力端子に結合される、請求項１に記載の装置。
【請求項１０】
当該装置は、第３のダイオード及び供給源スイッチを有し、前記第２の出力端子及び前記第３の出力端子は、前記第３のダイオードを介して互いに結合され、前記第３のダイオードの第１の接点は、前記供給源スイッチの第１の接点及び前記第２の出力端子に結合され、前記供給源スイッチの第２の接点は、前記第２の入力端子に結合され、前記第３のダイオードの第２の接点は、前記第３の出力端子に結合される、請求項９に記載の装置。
【請求項１１】
当該装置は、負荷スイッチを有し、前記負荷スイッチは、前記第１の出力端子及び前記第２の出力端子に結合される、請求項９に記載の装置。
【請求項１２】
当該装置は、前記第１の入力端子及び前記第２の入力端子に結合される入力部コンデンサ、並びに／又は、前記第１の出力端子及び前記第２の出力端子に結合される負荷コンデンサ、並びに／又は、前記第３の出力端子及び前記第４の出力端子に結合される供給源コンデンサを有する、請求項９に記載の装置。
【請求項１３】
請求項１乃至１２の何れか一項に記載の装置を有するドライバであって、電源信号を前記装置のための前記入力信号に変換するよう構成される第１の段を有するドライバであり、前記装置は、前記ドライバの第２の段を形成するよう構成される、ドライバ。
【請求項１４】
請求項１３に記載のドライバを有するデバイスであって、前記負荷及び前記供給源のうちの１つ以上を有するデバイス。
【請求項１５】
請求項１乃至１２の何れか一項に記載の装置を有するデバイスであって、前記負荷及び前記供給源のうちの１つ以上を有するデバイス。
【発明の詳細な説明】
【技術分野】
【０００１】
本発明は、負荷を駆動するための装置(apparatus)に関する。本発明はさらに、装置を有するドライバ、ドライバを有するデバイス(device)、及び装置を有するデバイスに関する。斯かる装置の例は、ドライバの段である。斯かるデバイスの例は、消費者向けプロダクト(consumer product)及びプロフェッショナル向けプロダクト(professional product)である。
【背景技術】
【０００２】
国際特許出願公開第WO 2013／090277 A1号公報は、主電源(main supply)に結合されるＡＣ−ＤＣコンバータ、バッテリ（再充電可能供給源(re-chargeable source)）に結合される非常用照明モジュール、及びＬＥＤ基板（負荷）を駆動するためのＬＥＤ制御部を有するドライバを開示している。ＬＥＤ基板は、平常時(normal situation)にはＡＣ−ＤＣコンバータにより給電され、非常時(emergency situation)には非常用照明モジュールにより給電される。非常用照明モジュールは、平常時、ＡＣ−ＤＣコンバータにより給電され得る。
【発明の概要】
【発明が解決しようとする課題】
【０００３】
本発明の目的は、改善された装置を提供することにある。本発明の他の目的は、ドライバ及びデバイスを提供することにある。
【課題を解決するための手段】
【０００４】
第１の態様によれば、負荷を駆動するための装置であって、
第１の状態において、入力信号を受けるよう構成される入力部、
第１の状態において、第１の出力信号を負荷及び供給源(source)の直列配列に供給するよう構成される出力部であって、第１の出力信号は、入力信号を通じて供給される入力電力でもって負荷に給電する及び供給源を充電するよう構成される、出力部、及び
第１の状態と異なる第２の状態において、供給源からの供給源信号(source signal)を負荷のための第２の出力信号に変換するよう構成されるコンバータであって、第２の出力信号は、供給源により供給される供給源電力(source power)でもって負荷に給電するよう構成される、コンバータ、
を有する、装置が提供される。
【０００５】
装置は、第１の状態において、入力信号を受けるための入力部を有する。入力信号は、入力電力を供給するよう構成される。装置は、第１の状態において、第１の出力信号を負荷及び（再充電可能）供給源の直列配列に供給するための出力部を有する。第１の出力信号は、入力信号を通じて供給される入力電力でもって負荷に給電する及び供給源を充電するよう構成される。装置は、第１の状態と異なる第２の状態において、供給源からの供給源信号を負荷のための第２の出力信号に変換するためのコンバータを有する。第２の出力信号は、供給源により供給される供給源電力でもって負荷に給電するよう構成される。負荷及び供給源の直列配列を導入したことにより、第１の状態において、同じ第１の出力信号が、負荷に電力供給するため及び供給源を充電するために用いられることができる。供給源信号を負荷に電力供給するための第２の出力信号に変換するためのコンバータを導入したことにより、第２の状態において、供給源からの供給源電力が、負荷に電力供給するために用いられることができる。結果として、単純且つ低複雑さの装置が、２つの異なる状態において負荷を駆動するよう創出された。これは、極めて技術的に有利である。
【０００６】
国際特許出願公開第WO 2013／090277 A1号公報は、本発明の装置と比べて、複雑さが増大され、より多数の構成部品を必要とするドライバを開示している。
【０００７】
米国特許出願公開第US 2012/0068601 A1号公報は、エネルギ貯蔵ユニットを充電するための第１のコンバータ及びエネルギ貯蔵ユニットからのエネルギを負荷のための電力に変換するための第２のコンバータを持つドライバを開示している。このドライバは、本発明の装置と比べて、複雑さが増大され、より多数の構成部品を必要とする。
【０００８】
入力信号は、入力電流信号であってもよく、第１の出力信号は、第１の出力電流信号であってもよく、供給源信号は、供給源電流信号であってもよく、第２の出力信号は、第２の出力電流信号であってもよいが、如何なる種類の信号も除外されるべきではない。
【０００９】
本発明の装置の一実施形態によれば、第１の状態は、入力信号が利用可能である平常時(normal situation)であり、第２の状態は、入力信号が利用できない非常時(emergency situation)である。平常時、負荷は、あれば他の段を介して、装置の入力部に結合される電源(supply)により電力供給される。非常時、負荷は、再充電可能供給源により電力供給される。
【００１０】
本発明の装置の一実施形態によれば、コンバータは、コンバータスイッチ及びインダクタを有し、コンバータは、コンバータスイッチの第１のモードにおいて、供給源信号を通じてインダクタを充電するためインダクタ及び供給源を結合し、インダクタは、充電された後、コンバータスイッチの第２のモードにおいて、第２の出力信号を供給するよう構成される。コンバータスイッチ及びインダクタの組み合わせを有するコンバータは、例えば、ブーストコンバータであってもよい。コンバータスイッチの第１のモードは、例えば、導通モードであってもよく、コンバータスイッチの第２のモードは、例えば、非導通モードであってもよい。
【００１１】
本発明の装置の一実施形態によれば、コンバータは、第１の出力信号の値を調整する(regulate)よう構成される。好ましくは、コンバータは、第２の状態において負荷に電力供給するため供給源信号を第２の出力信号に変換するために用いられるだけでなく、第１の状態において第１の出力信号の値を調整するためにも用いられる。第１の出力信号の値は、例えば、瞬時値及び／又は平均値であってもよい。
【００１２】
本発明の装置の一実施形態によれば、コンバータは、コンバータスイッチを有し、コンバータスイッチは、コンバータスイッチの第１のモードにおいて、直列配列をバイパスするよう構成される。好ましくは、第１の出力信号の値は、直列配列をバイパスすることにより調整される。コンバータスイッチの第１のモードは、例えば、導通モードであってもよい。例えば非導通モード等のコンバータスイッチの第２のモードにおいて、直列配列は、バイパスされない。
【００１３】
本発明の装置の一実施形態によれば、装置は、負荷スイッチを有し、負荷スイッチは、負荷スイッチの第１のモードにおいて、負荷を非アクティブにするよう構成される。好ましくは、負荷は、アクティブ（スイッチオン）及び非アクティブ（スイッチオフ）にされ得る。負荷スイッチの第１のモードは、例えば、導通モードであってもよい。例えば非導通モード等の負荷スイッチの第２のモードにおいて、負荷は、非アクティブにされない。
【００１４】
本発明の装置の一実施形態によれば、装置は、供給源スイッチを有し、供給源スイッチは、供給源スイッチの第１のモードにおいて、供給源をバイパスするよう構成される。好ましくは、供給源は、例えば、供給源が十分に充電されている場合、第１の状態において充電を止めるため、バイパスされ得る。供給源スイッチの第１のモードは、例えば、導通モードであってもよい。例えば非導通モード等の供給源スイッチの第２のモードにおいて、供給源は、バイパスされない。
【００１５】
本発明の装置の一実施形態によれば、装置は、コントローラを有し、コントローラは、コンバータのコンバータスイッチ、負荷スイッチ及び供給源スイッチのうちの１つ以上を制御するよう構成される。コントローラは、例えば、入力部における電圧レベル若しくは入力部間の電位差の検出に応じて、及び／又は、例えば、供給源における電圧レベル若しくは供給源間の電位差の検出に応じて、等々、コンバータのコンバータスイッチ及び／又は負荷スイッチ及び／又は供給源スイッチを制御してもよい。
【００１６】
本発明の装置の一実施形態によれば、入力部は、第１の入力端子及び第２の入力端子を有し、出力部は、負荷に結合されるよう構成される第１の出力端子及び第２の出力端子並びに供給源に結合されるよう構成される第３の出力端子及び第４の出力端子を有し、コンバータは、コンバータスイッチ、インダクタ及び第１のダイオードを有し、インダクタの第１の接点は、第１の入力端子に結合され、インダクタの第２の接点は、第１のダイオードの第１の接点及びコンバータスイッチの第１の接点に結合され、第１のダイオードの第２の接点は、第１の出力端子に結合され、コンバータスイッチの第２の接点は、第４の出力端子及び第２の入力端子に結合され、第３の出力端子は、第２のダイオードの第１の接点及び第２の出力端子に結合され、第２のダイオードの第２の接点は、第１の入力端子に結合される。
【００１７】
本発明の装置の一実施形態によれば、装置は、第３のダイオード及び供給源スイッチを有し、第２の出力端子及び第３の出力端子は、第３のダイオードを介して互いに結合され、第３のダイオードの第１の接点は、供給源スイッチの第１の接点及び第２の出力端子に結合され、供給源スイッチの第２の接点は、第２の入力端子に結合され、第３のダイオードの第２の接点は、第３の出力端子に結合される。供給源スイッチは、例えば、供給源が十分に充電されている場合、第１の状態において充電を止めるため、供給源をバイパスするために導入され得る。
【００１８】
本発明の装置の一実施形態によれば、装置は、負荷スイッチを有し、負荷スイッチは、第１の出力端子及び第２の出力端子に結合される。負荷スイッチは、負荷をアクティブ（スイッチオン）及び非アクティブ（スイッチオフ）するために導入され得る。
【００１９】
本発明の装置の一実施形態によれば、装置は、第１の入力端子及び第２の入力端子に結合される入力部コンデンサ、並びに／又は、第１の出力端子及び第２の出力端子に結合される負荷コンデンサ、並びに／又は、第３の出力端子及び第４の出力端子に結合される供給源コンデンサを有する。入力部コンデンサ、負荷コンデンサ及び供給源コンデンサは各々、エネルギ貯蔵機能及び／又はフィルタリング機能を持ってもよい。
【００２０】
第２の態様によれば、上述した装置を有するドライバであって、電源信号(supply signal)を装置のための入力信号に変換するよう構成される第１の段を有するドライバであり、装置は、ドライバの第２の段を形成するよう構成される、ドライバが提供される。電源信号は、例えば主電源等の電源から生じてもよい。
【００２１】
第３の態様によれば、上述したドライバを有するデバイスであって、負荷及び供給源のうちの１つ以上を有するデバイスが提供される。
【００２２】
第４の態様によれば、上述した装置を有するデバイスであって、負荷及び供給源のうちの１つ以上を有するデバイスが提供される。
【００２３】
負荷は、例えば、任意の種類の及び任意の組み合わせの１つ以上の発光ダイオードを有する発光ダイオード回路等の照明回路(light circuit)を有してもよい。
【００２４】
ドライバ及びデバイスの実施形態は、装置の実施形態と対応する。装置の実施形態（の一部）は、装置の他の実施形態（の一部）と組み合わされてもよい。
【００２５】
本発明の基本的な考え(basic idea)は、第１の状態において、第１の出力信号が、通常の電力供給目的及び充電目的のため負荷及び供給源の直列配列に供給されるべきであり、第２の状態において、供給源からの供給源信号が、非常時の電力供給目的のため負荷のための第２の出力信号に変換されるべきことにある。
【００２６】
改善された装置を提供するという課題は、当該装置が、単純且つ低複雑さであり、比較的少ない構成要素しか必要としない点で有利に解決されている。さらなる利点は、斯かる装置に、改善されたロバスト性及び改善されたフェイルセーフ性を容易に与えられることである。
【００２７】
本発明のこれらの及び他の態様は、以下に記載の実施形態を参照することにより明らかになり、詳述されるであろう。
【図面の簡単な説明】
【００２８】
【図１】装置の一般的な実施形態を示す。
【図２】装置のより特定の実施形態を示す。
【図３】第１の状態における電流フローを示す。
【図４】第２の状態の第１の部分における電流フローを示す。
【図５】第２の状態の第２の部分における電流フローを示す。
【図６】ドライバ及びデバイスを示す。
【発明を実施するための形態】
【００２９】
図１には、装置の一般的な実施形態が示されている。装置１００は、インダクタ１２の第１の接点及びダイオード１４のカソードに結合される第１の入力端子１を有する。インダクタ１２の第２の接点は、ダイオード１３のアノード及びコンバータスイッチ１１の第１の接点に結合される。ダイオード１３のカソードは、第１の出力端子３に結合される。第１の出力端子３は、例えば照明回路等の負荷２００の第１の端子に結合される。第２の出力端子４は、負荷２００の第２の端子に結合される。第３の出力端子５は、再充電可能バッテリ等の再充電可能供給源３００の第１の（正）端子に結合される。第４の出力端子６は、供給源３００の第２の（負）端子に結合される。コンバータスイッチ１１の第２の接点は、第４の出力端子６及び第２の入力端子２に結合される。第２の出力端子４及び第３の出力端子５は、負荷２００及び供給源３００が直列配列を形成するように互いに結合される。第３の出力端子５はさらに、ダイオード１４のアノードに結合される。
【００３０】
図２には、装置のより特定の実施形態が示されている。このより特定の実施形態は、装置１００がさらに、ダイオード１５、負荷スイッチ２１、供給源スイッチ３１及びコントローラ１０を有する点で図１に示される一般的な実施形態と異なる。負荷２００及び供給源３００が依然として直列配列を形成するように、ダイオード１５のアノードは、第２の出力端子４に結合され、ダイオード１５のカソードは、第３の出力端子５に結合される。装置１００はさらに、第１の出力端子３及び第２の出力端子４に結合される負荷スイッチ２１、並びにダイオード１５のアノード及び第２の入力端子２に結合される供給源スイッチ３１を有する。装置１００はさらに、コンバータスイッチ１１及び供給源スイッチ３１を制御するためのコントローラ１０を有する。負荷スイッチ２１は、コントローラ１０により制御されてもよく、代替的には、他により、例えば手動で制御されてもよい。
【００３１】
装置１００は、第１の入力端子１及び第２の入力端子２に結合される入力部コンデンサ１２、第１の出力端子３及び第２の出力端子４に結合される負荷コンデンサ２２、並びに第３の出力端子５及び第４の出力端子６に結合される供給源コンデンサ３２を有してもよい。
【００３２】
装置１００は、以下のように負荷２００を駆動する。例えば平常時等の第１の状態において、入力部１、２を介して、入力信号を受ける。この第１の状態において、出力部３−６を介して、第１の出力信号が、負荷２００及び供給源３００の直列配列に供給される。この第１の出力信号は、入力信号を通じて供給される入力電力でもって負荷２００に給電する及び供給源３００を充電するよう構成される。例えば非常時等の第２の状態において、コンバータスイッチ１１、インダクタ１２及びダイオード１３を有するコンバータ１１−１３は、供給源３００からの供給源信号を負荷２００のための第２の出力信号に変換する。この第２の出力信号は、供給源３００により供給される供給源電力でもって負荷２００に給電するよう構成される。
【００３３】
加えて、コンバータ１１−１３は、例えばコンバータスイッチ１１の導通モード等のコンバータスイッチ１１の第１のモードにおいて、供給源３００からの供給源信号を通じてインダクタ１２を充電するためインダクタ１２及び供給源３００を結合するよう構成されてもよい。インダクタ１２は、充電された後、例えばコンバータスイッチ１１の非導通モード等のコンバータスイッチ１１の第２のモードにおいて、第２の出力信号を負荷２００に供給するよう構成されてもよい。
【００３４】
さらに、コンバータ１１−１３は、好ましくは、第１の出力信号の値を調整するよう構成されてもよい。加えて、コンバータスイッチ１１は、例えばコンバータスイッチ１１の導通モード等のコンバータスイッチ１１の第１のモードにおいて、直列配列をバイパスするよう構成されてもよい。
【００３５】
負荷スイッチ２１は、例えば負荷スイッチ２１の導通モード等の負荷スイッチ２１の第１のモードにおいて、負荷２００を非アクティブにするよう構成されてもよい。供給源スイッチ３１は、例えば供給源スイッチ３１の導通モード等の供給源スイッチ３１の第１のモードにおいて、供給源３００をバイパスするよう構成されてもよい。コントローラ１０は、コンバータスイッチ１１、負荷スイッチ２１及び供給源スイッチ３１のうちの１つ以上を制御するよう構成されてもよい。
【００３６】
第１の状態である平常時及び第２の状態である非常時における負荷２００の駆動が、図３−５を参照してより詳細に説明される。
【００３７】
図３には、第１の状態についての電流フローが示されている。コンバータスイッチ１１は、第２の、非導通モードにある。入力電流信号等の入力信号は、第１の入力端子１において装置１００に入り、インダクタ１２及びダイオード１３を通り、第１の出力端子３において第１の出力電流信号等の第１の出力信号となり、負荷２００、第２の出力端子４、第３の出力端子５及び供給源３００を通り、第４の出力端子６において装置１００に入り、第２の入力端子２において装置１００を出る。このようにして、負荷２００が電力供給され、同時に、供給源３００が充電される。供給源３００は、第１の出力電流信号が、正端子から負端子へと供給源３００を流れるという事実により充電される。
【００３８】
コンバータスイッチ１１を第１の、導通モード及び第２の、非導通モードに交互にすることにより、負荷２００及び供給源３００の直列配列は、交互にパイパスされる及びパイパスされないこととなる。このようにして、負荷２００及び供給源３００を流れる第１の出力電流信号の値が、例えば、負荷２００が照明回路を有する場合における例えば調光目的等の電力調整目的のため、第１の状態において調整され得る。然るに、第１の状態において、コンバータ１１−１３は、常に非アクティブにされてもよいが、コンバータ１１−１３は、オンオフデューティサイクルを選択することにより、第１の出力電流信号の値を調整するためスイッチオン及びオフされてもよい。
【００３９】
図４には、第２の状態の第１の部分についての電流フローが示されている。第２の状態（主電源障害(mains power failure）)において、入力電流信号等の入力信号はない。第２の状態の第１の部分において、コンバータスイッチ１１は、第１の、導通モードにあり、ここで、供給源３００は、先の、第１の状態において充電されている。結果として、供給源電流信号等の供給源信号が、供給源３００からダイオード１４、インダクタ１２及びコンバータスイッチ１１を介して流れ、供給源３００に戻る。これにより、インダクタ１２は充電され、供給源３００は放電される。供給源３００は、供給源電流信号が、負端子から正端子へと供給源３００を流れるという事実により放電される。
【００４０】
図５には、第２の状態の第２の部分についての電流フローが示されている。ここでも、第２の状態（主電源障害)において、入力電流信号等の入力信号はない。第２の状態の第２の部分において、コンバータスイッチ１１は、第２の、非導通モードにあり、ここで、インダクタ１２は、第２の状態の先の、第１の部分において充電されている。結果として、インダクタ電流信号等のインダクタ信号が、インダクタ１２からダイオード１３を介して流れ、第１の出力端子３において第２の電流出力信号等の第２の出力信号となり、負荷２００及びダイオード１４を介して流れ、インダクタ１２に戻る。これにより、負荷２００は電力供給され、インダクタ１２は放電される。
【００４１】
然るに、第２の状態においてコンバータスイッチ１１をスイッチオン及びオフすることにより、インダクタ１２は、供給源３００により充電され、充電されたインダクタ１２は、負荷２００に電力供給を行う。さらに有利には、第１の状態においてコンバータスイッチ１１をスイッチオン及びオフすることにより、負荷２００及び供給源３００の直列配列のための電力量が調整される。
【００４２】
コントローラ１０は、コンバータスイッチ１１及び／又は負荷スイッチ２１及び／又は供給源スイッチ３１を制御してもよい。コンバータスイッチ１１及び／又は負荷スイッチ２１及び／又は供給源スイッチ３１の制御は、例えば、第１の入力端子１における電圧レベル若しくは第１の入力端子１及び第２の入力端子２間の電位差の検出に応じて、並びに／又は、例えば、第３の出力端子５における電圧レベル若しくは第３の出力端子５及び第４の出力端子６間の電位差の検出に応じて、等々、行われてもよい。
【００４３】
図６には、ドライバ及びデバイスが示されている。ドライバ５００は、主電源等の電源から電源信号を受けるため、電源に結合される入力部を有する第１の段４００を有してもよい。第１の段４００は、装置１００の入力部１、２に結合される出力部を有する。この場合、装置１００は、ドライバ５００の第２の段を形成する。デバイス６００は、ドライバ５００を有し、負荷２００及び供給源３００のうちの１つ以上を有してもよい。代替的に、デバイス６００は、装置１００を有し、負荷２００及び供給源３００のうちの１つ以上を有してもよい。負荷２００及び供給源３００の直列配列は、装置１００の出力部３−６に結合される。
【００４４】
第１の段４００は、好ましくは、実質的に一定の値を持つ出力電流信号を生成してもよい。この場合、装置１００に入る入力信号は、実質的に一定の値を持つ入力電流信号であり、ここで、入力電流信号の変動(fluctuation)を可能にするため、装置１００は、図２に示される入力部コンデンサ１２を備えてもよく、及び／又は、第１の段４００は、出力部コンデンサを備えてもよい。
【００４５】
各スイッチ１１、２１、３１は、任意の種類の及び任意の組み合わせの１つ以上のトランジスタ、又は任意の他の種類のスイッチにより実現され得る。各スイッチ１１、２１、３１は、電流制限機能を備えてもよく、電流制限素子と組み合わされてもよい。各ダイオードは、ダイオードと実質的に同じ導通モード及び非導通モードを示すスイッチと置き換えられてもよい。然るに、ダイオードは、現実のダイオードを有してもよく、ダイオードと同様の動作を示すスイッチ又はトランジスタの一部であってもよい。第１の素子及び第２の素子は、第３の素子を介して間接的に結合され得、又は第３の素子を介在することなく直接結合され得る。
【００４６】
要約すると、負荷２００を駆動するための装置１００は、第１の状態である平常時に入力信号を受け、入力信号を通じて供給される入力電力でもって負荷２００に給電する及び供給源３００を充電するため負荷２００及び再充電可能供給源３００の直列配列に第１の出力信号を供給する。第２の状態である非常時に、コンバータ１１−１３は、供給源３００により供給される供給源電力でもって負荷２００に給電するため供給源３００からの供給源信号を負荷２００のための第２の出力信号に変換する。コンバータ１１−１３は、コンバータスイッチ１１、インダクタ１２及びダイオード１３を有し、コンバータスイッチ１１の第１のモードにおいて、供給源信号を通じてインダクタ１２を充電するためインダクタ１２及び供給源３００を結合してもよい。コンバータスイッチ１１の第２のモードにおいて、充電された後のインダクタ１２は、第２の出力信号を供給する。コンバータ１１−１３は、第１の出力信号の値を調整してもよい。負荷スイッチ２１が、負荷２００を非アクティブにしてもよく、供給源スイッチ３１が、供給源３００をバイパスしてもよい。
【００４７】
本発明が、図面及び前述の説明において詳細に図示及び記載されたが、斯かる図示及び記載は、例証又は例示とみなされるべきであり、限定的にみなされてはならない。本発明は、開示された実施形態に限定されない。開示された実施形態に対する他のバリエーションが、図面、開示及び添付の特許請求の範囲の研究から、当業者によって理解され、実施され得る。請求項において、"有する"という用語は他の要素又はステップを除外するものではなく、単数表記は複数を除外するものではない。特定の手段が相互に異なる従属請求項に記載されるという単なる事実は、これらの手段の組み合わせが有利に用いられ得ないことを示すものではない。請求項の如何なる参照符号も、本発明の範囲を制限するものとみなされるべきでない。
【図１】
2019134671.tif 000003
【図２】
2019134671.tif 000004
【図３】
2019134671.tif 000005
【図４】
2019134671.tif 000006
【図５】
2019134671.tif 000007
【図６】
2019134671.tif 000008
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
負荷を駆動するための装置であって、
第１の状態において、入力信号を受けるよう構成される入力部、
前記第１の状態において、第１の出力信号を前記負荷及び供給源の直列配列に供給するよう構成される出力部であって、該第１の出力信号は、前記入力信号を通じて供給される入力電力でもって前記負荷に給電する及び前記供給源を充電するよう構成される、出力部、及び
前記第１の状態と異なる第２の状態において、前記供給源からの供給源信号を前記負荷のための第２の出力信号に変換するよう構成されるコンバータであって、該第２の出力信号は、前記供給源により供給される供給源電力でもって前記負荷に給電するよう構成される、コンバータ、
を有する、装置。
【請求項２】
前記第１の状態は、前記入力信号が利用可能である平常時であり、前記第２の状態は、前記入力信号が利用できない非常時である、請求項１に記載の装置。
【請求項３】
前記コンバータは、コンバータスイッチ及びインダクタを有し、前記コンバータは、前記コンバータスイッチの第１のモードにおいて、前記供給源信号を通じて前記インダクタを充電するため前記インダクタ及び前記供給源を結合し、前記インダクタは、充電された後、前記コンバータスイッチの第２のモードにおいて、前記第２の出力信号を供給するよう構成される、請求項１に記載の装置。
【請求項４】
前記コンバータは、前記第１の出力信号の値を調整するよう構成される、請求項１に記載の装置。
【請求項５】
前記コンバータは、コンバータスイッチを有し、前記コンバータスイッチは、該コンバータスイッチの第１のモードにおいて、前記直列配列をバイパスするよう構成される、請求項４に記載の装置。
【請求項６】
当該装置は、負荷スイッチを有し、前記負荷スイッチは、該負荷スイッチの第１のモードにおいて、前記負荷を非アクティブにするよう構成される、請求項１に記載の装置。
【請求項７】
当該装置は、供給源スイッチを有し、前記供給源スイッチは、該供給源スイッチの第１のモードにおいて、前記供給源をバイパスするよう構成される、請求項１に記載の装置。
【請求項８】
当該装置は、コントローラを有し、前記コントローラは、前記コンバータのコンバータスイッチ、負荷スイッチ及び供給源スイッチのうちの１つ以上を制御するよう構成される、請求項１に記載の装置。
【請求項９】
前記コンバータは、バックブーストコンバータである、請求項１に記載の装置。
【請求項１０】
前記コンバータは、ブーストコンバータである、請求項１に記載の装置。
【請求項１１】
請求項１乃至１０の何れか一項に記載の装置を有するドライバであって、電源信号を前記装置のための前記入力信号に変換するよう構成される第１の段を有するドライバであり、前記装置は、前記ドライバの第２の段を形成するよう構成される、ドライバ。
【請求項１２】
請求項１１に記載のドライバを有するデバイスであって、前記負荷及び前記供給源のうちの１つ以上を有するデバイス。
【請求項１３】
請求項１乃至１０の何れか一項に記載の装置を有するデバイスであって、前記負荷及び前記供給源のうちの１つ以上を有するデバイス。
【外国語明細書】
2019134671000001.pdf